(57)【要約】【課題】引火性がなく非危険物であり、低温〜高温における安定性が高く、かつ優れた洗浄性を有し、ｗ／ｏ型マイクロエマルジョン組成物を提供することを目的とする。【解決手段】下記成分（ａ）〜（ｄ）を含む、ｗ／ｏ型マイクロエマルジョン組成物。（ａ）炭化水素；５０質量％以上、９３質量％以下（ｂ）アルコール；６質量％以上、４９質量％以下（ｃ）水；０．０１質量％以上、３０質量％未満（ｄ）界面活性剤；０．０１質量％以上、１０質量％以下【選択図】なし【特許請求の範囲】
【請求項１】
下記成分（ａ）〜（ｄ）を含む、ｗ／ｏ型マイクロエマルジョン組成物。
（ａ）炭化水素；５０質量％以上、９３質量％以下
（ｂ）アルコール；６質量％以上、４９質量％以下
（ｃ）水；０．０１質量％以上、３０質量％未満
（ｄ）界面活性剤；０．０１質量％以上、１０質量％以下
【請求項２】
前記成分（ｂ）が、少なくとも一種の一価アルコールと、少なくとも一種の多価アルコールと、を含む、請求項１に記載の組成物。
【請求項３】
前記成分（ｂ）が、炭素数６〜１０の一価アルコールを含む、請求項１又は２に記載のｗ／ｏ型マイクロエマルジョン組成物。
【請求項４】
前記成分（ｂ）が、炭素数６〜１０の多価アルコールを含む、請求項１〜３のいずれか一項に記載のｗ／ｏ型マイクロエマルジョン組成物。
【請求項５】
前記成分（ｄ）がアニオン性界面活性剤を含む、請求項１〜４のいずれか一項に記載のｗ／ｏ型マイクロエマルジョン組成物。
【請求項６】
前記アニオン性界面活性剤がポリオキシアルキレン基を含有する、請求項５に記載のｗ／ｏ型マイクロエマルジョン組成物。
【請求項７】
前記成分（ｃ）と前記成分（ｄ）の比（成分（ｃ）／成分（ｄ））が１．１以上である、請求項１〜６のいずれか一項に記載のｗ／ｏ型マイクロエマルジョン組成物。
【発明の詳細な説明】
【技術分野】
【０００１】
本発明は、ｗ／ｏ型マイクロエマルジョン組成物に関する。
【背景技術】
【０００２】
自動車、機械、精密機器、電気電子機器等の各種工業分野における金属加工部品、樹脂成形部品、ガラス成形部品、電気基板、セラミック加工部品等の各種工業分野において扱われる部品等には、加工の際に加工油類が付着する。そのため、部品に付着した加工油類を洗浄する必要がある。従来は、油脂類に対して溶解力が大きく、不燃性であり、かつ乾燥性に優れるという長所を有するトリクロロエタン、トリクロロトリフルオロエタン等のハロゲン化炭化水素系溶剤を、洗浄剤として用いていた。しかしながら、ハロゲン化炭化水素系溶剤は、オゾン層破壊などの環境汚染、又は人体への有害性等の問題を有しているため、規制が強化されつつある。
【０００３】
一方で、非ハロゲン系溶剤としては、パラフィン系等の炭化水素系溶剤が使用されている。炭化水素系溶剤は油脂類に対する溶解性が高い反面、引火性があり、火災の危険性をもっており、また、引火性が高い危険物として消防法において指定数量の規制対象となっている場合がある。
【０００４】
また、上記炭化水素系溶剤に界面活性剤、水を添加した洗浄剤も開発されている。例えば、特許文献１には、水と、有機溶剤と、脂肪族と、脂環式カルボン酸塩と、を必須成分として含む「油相連続（ｗ／ｏ型）ミクロエマルジョン」が開示されている。また、特許文献２には、水と、有機溶媒と、スルホコハク酸塩と、を必須成分として含む「室温で安定なマイクロエマルションの形をした洗浄用組成物」が開示されている。さらに、特許文献３には、非水系洗浄剤と、界面活性剤と、極性溶剤と、水と、を必須成分として含む「ｗ／ｏ型マイクロエマルジョンを形成するか、又はｗ／ｏ型可溶性を形成する洗浄組成物」が開示されている。
【先行技術文献】
【特許文献】
【０００５】
【特許文献１】特願平１０−５０９０２５号公報
【特許文献２】特願２０００−１８６０１８号公報
【特許文献３】特願平７−３１６４８６号公報
【発明の概要】
【発明が解決しようとする課題】
【０００６】
しかしながら、特許文献１の油相連続（ｗ／ｏ型）ミクロエマルジョンは、高含水であるため、油に対する洗浄力が不十分である。また、特許文献２の洗浄用組成物は、水の添加量が多く、油に対する洗浄力と高温における安定性が不十分である。さらに、特許文献３の洗浄組成物は、極性溶剤の添加量が０．０５〜５ｗｔ％と少ないため、安定性が不十分である。
【０００７】
安定性が不十分であると、液温上昇等によりマイクロエマルジョンが崩壊し、有機溶剤相と水相が分離し、洗浄性能、引火性の面において問題となる場合がある。
【０００８】
本発明は、上記問題点に鑑みてなされたものであり、引火性がなく非危険物であり、低温〜高温における安定性が高く、かつ優れた洗浄性を有し、ｗ／ｏ型マイクロエマルジョン組成物を提供することを目的とする。
【課題を解決するための手段】
【０００９】
本発明者らは、上記課題を解決すべく鋭意検討した結果、炭化水素、アルコール溶剤を連続相、水を分散相とするｗ／ｏ型マイクロエマルジョンであれば、上記課題を解決できることを見出し、本発明を完成するに至った。
【００１０】
すなわち、本発明は以下のとおりである。
〔１〕
下記成分（ａ）〜（ｄ）を含む、ｗ／ｏ型マイクロエマルジョン組成物。
（ａ）炭化水素；５０質量％以上、９３質量％以下
（ｂ）アルコール；６質量％以上、４９質量％以下
（ｃ）水；０．０１質量％以上、３０質量％未満
（ｄ）界面活性剤；０．０１質量％以上、１０質量％以下
〔２〕
前記成分（ｂ）が、少なくとも一種の一価アルコールと、少なくとも一種の多価アルコールと、を含む、前項〔１〕に記載の組成物。
〔３〕
前記成分（ｂ）が、炭素数６〜１０の一価アルコールを含む、前項〔１〕又は〔２〕に記載のｗ／ｏ型マイクロエマルジョン組成物。
〔４〕
前記成分（ｂ）が、炭素数６〜１０の多価アルコールを含む、前項〔１〕〜〔３〕のいずれか一項に記載のｗ／ｏ型マイクロエマルジョン組成物。
〔５〕
前記成分（ｄ）がアニオン性界面活性剤を含む、前項〔１〕〜〔４〕のいずれか一項に記載のｗ／ｏ型マイクロエマルジョン組成物。
〔６〕
前記アニオン性界面活性剤がポリオキシアルキレン基を含有する、前項〔５〕に記載のｗ／ｏ型マイクロエマルジョン組成物。
〔７〕
前記成分（ｃ）と前記成分（ｄ）の比（成分（ｃ）／成分（ｄ））が１．１以上である、前項〔１〕〜〔６〕のいずれか一項に記載のｗ／ｏ型マイクロエマルジョン組成物。
【発明の効果】
【００１１】
本発明によれば、引火性がなく非危険物であり、低温〜高温における安定性が高く、かつ優れた洗浄性を有し、ｗ／ｏ型マイクロエマルジョン組成物を提供することができる。
【発明を実施するための形態】
【００１２】
以下、本発明を実施するための形態（以下、「本実施形態」という。）について具体的に説明するが、本発明はこれに限定されるものではなく、その要旨を逸脱しない範囲で様々な変形が可能である。
【００１３】
〔ｗ／ｏ型マイクロエマルジョン組成物〕
本実施形態に係るｗ／ｏ型マイクロエマルジョン組成物（以下、「組成物」ともいう。）は、下記成分（ａ）〜（ｄ）を含む。
（ａ）炭化水素；５０質量％以上、９３質量％以下
（ｂ）アルコール；６質量％以上、４９質量％以下
（ｃ）水；０．０１％質量以上、３０質量％未満
（ｄ）界面活性剤；０．０１質量％以上、１０質量％以下
【００１４】
本実施形態に係るｗ／ｏ型マイクロエマルジョン組成物は、連続相と分散相の二相で形成されている。連続相には、炭化水素とアルコールが含まれ、分散相には水が界面活性剤によって被覆された状態で含まれる。マイクロエマルジョンの粒子径は、約数ｎｍ〜数百ｎｍである。マイクロエマルジョンの粒子径は、好ましくは５ｎｍ〜５００ｎｍであり、より好ましくは５ｎｍ〜１００ｎｍであり、さらに好ましくは５ｎｍ〜５０ｎｍである。組成物にｗ／ｏ型マイクロエマルジョンが均一に分散しているため、組成物の外観は均一な無色透明液体となる傾向にある。ｗ／ｏ型マイクロエマルジョンの形成は、組成物にレーザー光を照射し、チンダル現象の有無により確認することができる。また、ｗ／ｏ型マイクロエマルジョンの粒子径の測定は、動的光散乱法を用いて測定することができる。
【００１５】
本実施形態に係る組成物が、「ｗ／ｏ型マイクロエマルジョン組成物」であることはチンダル現象の有無によって確認することができる。チンダル現象の確認方法は後述する実施例に記載する。
【００１６】
また、本実施形態に係る組成物は、所定量の水を含むため、洗浄成分である炭化水素及びアルコールが含まれていたとしても引火点を消失させることができる。すなわち、本実施形態に係る組成物は消防法上における非危険物となる。
【００１７】
また、本実施形態に係る組成物は、所定量のアルコールを含むため、界面活性剤の含有量が少量であっても、より多くの水をｗ／ｏ型マイクロエマルジョンの形態を維持した状態で分散させることができる。
【００１８】
さらに、洗浄により油溶性成分の汚れが組成物に混入し、組成物の組成が変動した場合でも、分散相の水は洗浄性に悪影響を及ぼすことなく安定であり、連続相の炭化水素とアルコール溶剤による油溶性汚れに対する高い洗浄性を保つことができる。
【００１９】
〔（ａ）炭化水素〕
本実施形態に係る組成物は、（ａ）炭化水素を含む。（ａ）炭化水素の含有量は、５０質量％以上、９３質量％以下であり、好ましくは６０質量％以上、９０質量％以下であり、より好ましくは６０質量％以上、８０質量％以下であり、さらに好ましくは６０質量％以上、７５質量％以下である。（ａ）炭化水素の含有量が上記範囲内であることにより、洗浄性がより向上する傾向にある。
【００２０】
（ａ）炭化水素としては、特に限定されないが、例えば、脂肪族炭化水素、脂環式炭化水素及び芳香族炭化水素が挙げられる。
【００２１】
脂肪族炭化水素としては、特に限定されないが、例えば、ペンタン、ヘキサン、ヘプタン、オクタン、ノナナン、デカン、ウンデカン、ドデカン、トリデカン、テトラデカン、ペンタデカン、ヘキサデカン、ヘプタデカン、オクタデカン、ノナデカン、イコサン、２−メチルブタン、２−メチルペンタン、２，２−ジメチルブタン、２，３ジメチルブタン、ヘプタン異性体、オクタン異性体、２，４−ジメチルペンタン、２，２，３−トリメチルペンタン、イソオクタン、２，２，５−トリメチルヘキサン、ペンテン、ヘキセン、ヘプテン、オクテン、ノネン、デセン、ウンデセン、ドデセン、トリデセン、テトラデセン、ペンタデセン、ヘキサデセン、ヘプタデセン、オクタデセン、ノナデセン、エイコセン等が挙げられる。
【００２２】
脂環式炭化水素及び芳香族炭化水素としては、特に限定されないが、例えば、シクロペンタン、メチルシクロペンタン、シクロヘキサン、メチルシクロヘキサン、エチルシクロヘキサン、ｐ−メンタン、ビシクロヘキシル、シクロヘキセン、α―ピネン、ジペンテン、デカリン、シクロヘプタン、シクロオクタン、シクロノナン、シクロデカン、シクロウンデカン、シクロドデカン、シクロテトラデカン、ベンゼン、トルエン、キシレン、エチルベンゼン、クメン、メシチレン、テトラリン、ブチルベンゼン、ｐ−シメン、シクロヘキシルベンゼン、ジエチルベンゼン、ペンチルベンゼン、ジペンチルベンゼン、ドデシルベンゼン、スチレン等が挙げられる。
【００２３】
このなかでも、脂肪族炭化水素が好ましく、炭素数１０〜１６の脂肪族炭化水素がより好ましい。炭素数１０〜１６の脂肪族炭化水素としては、特に限定されないが、例えば、デカン、ウンデカン、ドデカン、トリデカン、テトラデカン、ペンタデカン、ヘキサデカン、デセン、ウンデセン、ドデセン、トリデセン、テトラデセン、ペンタデセン、ヘキサデセン等が挙げられる。
【００２４】
（ａ）炭化水素は、１種単独で用いても、２種以上を併用してもよい。
【００２５】
〔（ｂ）アルコール〕
本実施形態に係る組成物は、（ｂ）アルコールを含む。（ｂ）アルコールの含有量は、１０質量％以上、４０質量％以下であり、好ましくは１５質量％以上、３５質量％以下であり、より好ましくは２０質量％以上、３０質量％以下であり、さらに好ましくは２５質量％以上、３０質量％以下である。（ｂ）アルコールの含有量が上記範囲内であることにより、引火性がより低くなり、安定性がより向上する傾向にある。
【００２６】
（ｂ）アルコールとしては、特に限定されないが、例えば、一価アルコール、及び多価アルコールが挙げられる。このなかでも、（ｂ）アルコールが、少なくとも一種の一価アルコールと、少なくとも一種の多価アルコールと、を含むことが好ましい。少なくとも一種の一価アルコールと、少なくとも一種の多価アルコールと、を含むことにより、安定性がより向上する傾向にある。
【００２７】
一価アルコールに対する多価アルコールの質量比（一価アルコール／多価アルコール）は、好ましくは０．１〜１０であり、より好ましくは０．５〜８であり、さらに好ましくは１〜５である。質量比（一価アルコール／多価アルコール）が上記範囲内であることにより、安定性により優れる傾向にある。
【００２８】
一価アルコールとしては、特に限定されないが、例えば、メタノール、エタノール、プロパノール、ブタノール、ペンタノール、ヘキサノール、ヘプタノール、オクタノール、ノナノール、デカノール、ウンデカノール、ドデカノール、トリデカノール、イソプロパノール、２−ブタノール、イソブタノール、ｔｅｒｔ−ブタノール、２−ペンタノール、３−ペンタノール、２−メチル−１−ブタノール、イソペンチルアルコール、ｔｅｒｔ−ペンチルアルコール、３−メチル−２−ブタノール、ネオペンチルアルコール、２−メチル−１−ペンタノール、４−メチル−２−ペンタノール、２−エチル−１−ブタノール、２−ヘプタノール、３−ヘプタノール、２−オクタノール、２−エチル−１−ヘキサノール、３，５，５−トリメチル−１−ヘキサノール、アリルアルコール、プロパルギルアルコール、ベンジルアルコール、シクロヘキサノール、１−メチルシクロヘキサノール、２−メチルシクロヘキサノール、３−メチルシクロヘキサノール、４−メチルシクロヘキサノール、テルピネオール、アビエチノール等が挙げられる。
【００２９】
一価アルコールの炭素数は、好ましくは６〜１０であり、より好ましくは８〜１０であり、さらに好ましくは８である。一価アルコールの炭素数が上記範囲内であることにより、引火性がより低くなり、安定性がより向上する傾向にある。
【００３０】
炭素数が６〜１０の一価アルコールとしては、特に限定されないが、例えば、ヘキサノール、ヘプタノール、オクタノール、ノナノール、デカノール、２−メチル−１−ペンタノール、４−メチル−２−ペンタノール、２−エチル−１−ブタノール、２−ヘプタノール、３−ヘプタノール、２−オクタノール、２−エチル−１−ヘキサノール、３，５，５−トリメチル−１−ヘキサノール等が挙げられる。
【００３１】
多価アルコールとしては、特に限定されないが、例えば、ペンタエリスリトール、ジグリセリン、グリセリン、トリメチロールエタン、トリメチロールプロパン、５−メチル−１，２，４−ヘプタントリオール、１，２，６−ヘキサントリオール、１，２，３−ブタントリオール、２−メチル−１，２，３−プロパントリオール、２−メチル−２，３，４−ブタントリオール、１，２，８−オクタントリオール、１，２，９−ノナントリオール、１，２，１０−デカントリオール、１，２−エタンジオール、１，２−プロパンジオール、１，３−プロパンジオール、１，２−ブタンジオール、１，３−ブタンジオール、１，４−ブタンジオール、２，３−ブタンジオール、２−ブテン−１，４−ジオール、１，２−ペンタンジオール、１，４−ペンタンジオール、１，５−ペンタンジオール、２，４−ペンタンジオール、２，２−ジメチル−１，３−プロパンジオール（ネオペンチルグリコール）、３−メチル−１，３−ブタンジオール（イソプレングリコール）、１，２−ヘキサンジオール、１，６−ヘキサンジオール、２，５−ヘキサンジオール、２，６−ヘキサンジオール、１，３−ヘキサンジオール、２−メチル−２，４−ペンタンジオール（へキシレングリコール）、３−メチル−１，５−ペンタンジオール、２−プロピル−１，３−プロパンジオール、１，７−ヘプタンジオール、２−ブチル−１，３−プロパンジオール、２−メチル−１，３−ヘキサンジオール、２，２−ジエチル−１，３−プロパンジオール、１，２−オクタンジオール、３，６−オクタンジオール、１，８−オクタンジオール、２−エチル−１，３−ヘキサンジオール、２，２，４−トリメチル−１，３−ペンタンジオール、２，５−ジメチル−２，５−ヘキサンジオール、２−ペンチル−１，３−プロパンジオール、１，２−ノナンジオール、２−プロピル−１，３−ヘキサンジオール、２−ブチル−２−エチル−１，３−プロパンジオール、２，４−ジエチル−１，５−ペンタンジオール、１，２−デカンジオール、１，１０−デカンジオール、２−ブチル−１，３−ヘキサンジオール、３，６−ジメチル−４−オクチン−３，６−ジオール、２，６−ジメチル−３−ヘキシン−２，６−ジオール、１，３−ナフタレンジオール、１，４−ナフタレンジオール、１，５−ナフタレンジオール、１，６−ナフタレンジオール、２，３−ナフタレンジオール、２，７−ナフタレンジオール、１−フェニル−１，２−エタンジオール、１−フェニル−１，３−プロパンジオール、３−ヘキシン−２，６−ジオール、１，２−ベンゼンジオール、１，４−ベンゼンジオール、１，２−シクロヘキサンジオール、１，３−シクロヘキサンジオール、１，４−シクロヘキサンジオール、１，４−シクロヘキサンジメタノール等が挙げられる。
【００３２】
多価アルコールの炭素数は、好ましくは６〜１０であり、より好ましくは８〜１０であり、さらに好ましくは８である。多価アルコールの炭素数が上記範囲内であることにより、引火性がより低くなり、安定性がより向上する傾向にある。また、多価アルコールの価数は、好ましくは２以上４以下であり、より好ましくは２以上３以下であり、さらに好ましくは２である。多価アルコールの価数が上記範囲内であることにより、引火性がより低くなり、安定性がより向上する傾向にある。
【００３３】
炭素数が６〜１０の多価アルコールとしては、特に限定されないが、例えば、ジグリセリン、トリメチロールプロパン、５−メチル−１，２，４−ヘプタントリオール、１，２，６−ヘキサントリオール、１，２，８−オクタントリオール、１，２，９−ノナントリオール、１，２，１０−デカントリオール、１，２−ヘキサンジオール、１，６−ヘキサンジオール、２，５−ヘキサンジオール、２，６−ヘキサンジオール、１，３−ヘキサンジオール、２−メチル−２，４−ペンタンジオール（へキシレングリコール）、３−メチル−１，５−ペンタンジオール、２−プロピル−１，３−プロパンジオール、１，７−ヘプタンジオール、２−ブチル−１，３−プロパンジオール、２−メチル−１，３−ヘキサンジオール、２，２−ジエチル−１，３−プロパンジオール、１，２−オクタンジオール、３，６−オクタンジオール、１，８−オクタンジオール、２−エチル−１，３−ヘキサンジオール、２，２，４−トリメチル−１，３−ペンタンジオール、２，５−ジメチル−２，５−ヘキサンジオール、２−ペンチル−１，３−プロパンジオール、１，２−ノナンジオール、２−プロピル−１，３−ヘキサンジオール、２−ブチル−２−エチル−１，３−プロパンジオール、２，４−ジエチル−１，５−ペンタンジオール、１，２−デカンジオール、１，１０−デカンジオール、２−ブチル−１，３−ヘキサンジオール、３，６−ジメチル−４−オクチン−３，６−ジオール等が挙げられる。
【００３４】
（ｂ）アルコールは、１種単独で用いても、２種以上を併用してもよい。
【００３５】
〔（ｃ）水〕
本実施形態に係る組成物は、（ｃ）水を含む。（ｃ）水の含有量は、０．０１質量％以上、３０質量％未満であり、好ましくは０．０５質量％以上、２０質量％以下であり、より好ましくは０．１質量％以上、１０質量％以下であり、さらに好ましくは１質量％以上、５質量％以下である。（ｃ）水の含有量が上記範囲内であることにより、引火性がより低くなり、洗浄性及び安定性がより向上する傾向にある。
【００３６】
（ｃ）水としては、特に限定されないが、例えば、蒸留水、イオン交換水等が挙げられる。
【００３７】
〔（ｄ）界面活性剤〕
本実施形態に係る組成物は、（ｄ）界面活性剤を含む。（ｄ）界面活性剤の含有量は、０．０１質量％以上、１０質量％以下であり、好ましくは０．０５質量％以上、１０質量％以下であり、より好ましくは０．１質量％以上、５質量％以下であり、さらに好ましくは０．５質量％以上、３質量％以下である。（ｄ）界面活性剤の含有量が上記範囲内であることにより、安定性及び洗浄性がより向上する傾向にある。
【００３８】
（ｄ）界面活性剤としては、特に限定されないが、例えば、アニオン性界面活性剤、カチオン性界面活性剤、ノニオン性界面活性剤、及び両性界面活性剤が挙げられる。（ｄ）界面活性剤は、１種単独で用いても、２種以上を併用してもよい。
【００３９】
アニオン性界面活性剤としては、特に限定されないが、例えば、Ｎ−アシルアミノ酸塩、アルキルエーテルカルボン酸塩、脂肪酸石鹸、アルキルリン酸塩、ポリオキシアルキルエーテルリン酸塩、Ｎ−アシルタウリン塩、アルキル硫酸塩、ポリオキシエチレンアルキルエーテル硫酸塩（ポリオキシエチレンアルキル硫酸エステル塩）、ポリオキシエチレン多環フェニルエーテル硫酸エステル塩、ポリオキシエチレンアリールエーテル硫酸エステル塩、ポリオキシエチレンヒマシ油エーテル硫酸エステル塩、ポリオキシエチレンスルホコハク酸塩、アルキルスルホン酸塩、アルキルスルホコハク酸塩等が挙げられる。アニオン性界面活性剤としては、特に限定されないが、具体的には、ポリオキシエチレンラウリルエーテル硫酸Ｎａ、ドデシル硫酸Ｎａ、テトラデシル硫酸Ｎａ、ジオクチルスルホコハク酸Ｎａ等が挙げられる。
【００４０】
カチオン性界面活性剤としては、特に限定されないが、例えば、アルキルアンモニウム塩、アルキルピリジニウム塩、及びアミン塩類等が挙げられる。カチオン性界面活性剤としては、特に限定されないが、具体的には、セチルトリメチルアンモニウムブロマイド、セチルトリメチルアンモニウムクロライド、セチルピリジニウムブロマイド等が挙げられる。
【００４１】
ノニオン性活性剤としては、特に限定されないが、例えば、ポリオキシアルキレンアルキルエーテル、ポリオキシエチレンアルキルエーテル、ポリオキシエチレンポリオキシプロピレンアルキルエーテル、ポリオキシエチレン多環フェニルエーテル、プロピレングリコール脂肪酸エステル、グリセリン脂肪酸エステル、ポリグリセリン脂肪酸エステル、ポリオキシエチレングリセリン脂肪酸エステル、ポリオキシエチレンアルキルアミンエーテル、ソルビタン脂肪酸エステル、ポリオキシエチレンソルビタン脂肪酸エステル、ポリオキシエチレンソルビット脂肪酸エステル、ポリオキシエチレンラノリン、ポリオキシエチレン硬化ヒマシ油、ポリオキシエチレンステロール、ポリエチレングリコール脂肪酸エステル、ショ糖脂肪酸エステル、アルキルグルコシド、アルキルアミンオキシド等が挙げられる。
【００４２】
両性界面活性剤としては、特に限定されないが、例えば、アルキルアミノベタイン、アルキルイミダゾリン、アルキルアミノグリシン、アミノプロピオン酸塩、レシチン等が挙げられる。
【００４３】
このなかでも、アニオン界面活性剤が好ましく、ポリオキシアルキレン基を含有するアニオン界面活性剤がより好ましい。アニオン界面活性剤を含むことにより、安定性がより向上する傾向にある。また、ポリオキシアルキレン基を含有するアニオン界面活性剤を含むことにより、安定性がさらに向上する傾向にある。
【００４４】
ポリオキシアルキレン基を含有するアニオン界面活性剤としては、特に限定されないが、例えば、ポリオキシアルキルエーテルリン酸塩、ポリオキシエチレンアルキルエーテル硫酸塩（ポリオキシエチレンアルキル硫酸エステル塩）、ポリオキシエチレン多環フェニルエーテル硫酸エステル塩、ポリオキシエチレンアリールエーテル硫酸エステル塩、ポリオキシエチレンヒマシ油エーテル硫酸エステル塩、ポリオキシエチレンスルホコハク酸塩等が挙げられる。
【００４５】
成分（ｃ）と成分（ｄ）の比（成分（ｃ）／成分（ｄ））は、好ましくは１．１以上であり、より好ましくは２以上であり、さらに好ましくは３以上である。比（成分（ｃ）／成分（ｄ））が１．１以上であることにより、洗浄後に被洗浄物に残留付着する界面活性剤量が少なくなるため、洗浄性がより向上する傾向にある。また、驚くべきことに、比（成分（ｃ）／成分（ｄ））が１．１以上であることにより、高温においても組成物が懸濁したり、二相分離したりすることがより抑制され、高温安定性がより向上する傾向にある。
【００４６】
また、比（成分（ｃ）／成分（ｄ））の上限は特に限定されないが、好ましくは１００以下である。比（成分（ｃ）／成分（ｄ））が１００以下であることにより、安定性がより向上する傾向にある。
【００４７】
〔その他の添加剤〕
本実施形態に係る組成物は、必要に応じて、通常用いられる添加剤を含んでもよい。添加剤としては、具体的に、以下のものが挙げられる。
【００４８】
キレート剤としては、特に限定されないが、例えば、アミノポリカルボン酸系キレート剤、芳香族カルボン酸系キレート剤、脂肪族カルボン酸系キレート剤、アミノ酸系キレート剤、エーテルポリカルボン酸系キレート剤、ホスホン酸系キレート剤、ヒドロキシカルボン酸系キレート剤、リン酸系キレート剤、高分子電解質系キレート剤が挙げられる。
【００４９】
アミノポリカルボン酸系キレート剤としては、特に限定されないが、例えば、エチレンジアミンテトラ酢酸（ＥＤＴＡ）、シクロヘキサンジアミンテトラ酢酸（ＣＤＴＡ）、ニトリロトリ酢酸（ＮＴＡ）、イミノジ酢酸（ＩＤＡ）、Ｎ−（２−ヒドロキシエチル）イミノジ酢酸（ＨＩＭＤＡ）、ジエチレントリアミンペンタ酢酸（ＤＴＰＡ）、Ｎ−（２−ヒドロキシエチル）エチレンジアミントリ酢酸（ＥＤＴＡ−ＯＨ）及びグリコールエーテルジアミンテトラ酢酸（ＧＥＤＴＡ）、Ｎ−アルケニルプロピレンジアミン三酢酸、並びにこれらの塩類等が挙げられる。
【００５０】
芳香族カルボン酸系キレート剤及び脂肪族カルボン酸系キレート剤としては、特に限定されないが、例えば、シュウ酸、マロン酸、コハク酸、グルタール酸、アジピン酸、イタコン酸、アコニット酸、ピルビン酸、サリチル酸、アセチルサリチル酸、ヒドロキシ安息香酸、アミノ安息香酸、フタル酸、トリメリット酸及び没食子酸、並びにこれらの塩類、メチルエステル類及びエチルエステル類等が挙げられる。
【００５１】
アミノ酸系キレート剤としては、特に限定されないが、例えば、グリシン、セリン、アラニン、リジン、シスチン、システイン、エチオニン、チロシン、メチオニン及びこれらの塩類及び誘導体等が挙げられる。
【００５２】
エーテルポリカルボン酸系キレート剤としては、特に限定されないが、例えば、ジグリコール酸、その類似化合物及びその塩類等が挙げられる。
【００５３】
ホスホン酸系キレート剤としては、特に限定されないが、例えば、イミノジメチルホスホン酸（ＩＤＰ）、アルキルジホスホン酸（ＡＤＰＡ）、１−ヒドロキシエタン−１，１−ジホスホン酸等が挙げられる。
【００５４】
ヒドロキシカルボン酸系キレート剤としては、特に限定されないが、例えば、リンゴ酸、クエン酸、グリコール酸、グルコン酸、ヘプトン酸、酒石酸、乳酸及びこれらの塩類等が挙げられる。
【００５５】
リン酸系キレート剤としては、特に限定されないが、例えば、オルトリン酸、ピロリン酸、トリリン酸及びポリリン酸等が挙げられる。
【００５６】
高分子電解質系キレート剤としては、特に限定されないが、例えば、アクリル酸重合体、無水マレイン酸重合体、α−ヒドロキシアクリル酸重合体、イタコン酸重合体、これらの重合体の構成モノマー２種以上からなる共重合体及びエポキシコハク酸重合体等が挙げられる。
【００５７】
上記キレート剤は、それぞれフリーの酸型であっても、ナトリウム塩、カリウム塩、アンモニウム塩等の塩の形であってもよい。さらに、キレート剤は、加水分解可能なそれらのエステル誘導体の形であってもよい。
【００５８】
防錆剤、金属安定剤、及び腐食防止剤としては、特に限定されないが、例えば、アルカノールアミン、アルキルアミン、環状アミン及びこれらの塩、モノエタノールアミン、ジエタノールアミン、トリエタノールアミン、モノイソプロパノールアミン、ジイソプロパノールアミン、トリイソプロパノールアミン、Ｎ−メチルモノエタノールアミン、Ｎ−メチルジエタノールアミン、Ｎ，Ｎ−ジメチルエタノールアミン、モルホリン、Ｎ−メチルモルホリン、エチレンジアミン、シクロヘキシルアミン、ｎ−ブチルアミン、１，３−ビス（アミノメチル）シクロヘキサン、ピペラジン、Ｎ−（２−アミノエチル）ピペラジン、ピラゾール、イミダゾール、２−メチルイミダゾール、４−メチルイミダゾール、２−エチルイミダゾール、４−エチルイミダゾール、トリアゾール、ベンゾトリアゾール、トリルトリアゾール等が挙げられる。
【００５９】
酸化防止剤としては、特に限定されないが、例えば、フェノール系酸化防止剤、アミン系酸化防止剤、リン系酸化防止剤、イオウ系酸化防止剤が挙げられる。
【００６０】
フェノール系酸化防止剤としては、特に限定されないが、例えば、１−オキシ−３−メチル−４−イソプロピルベンゼン、２，４−ジメチル−６−ｔ−ブチルフェノール、２，６−ジ−ｔ−ブチルフェノール、ブチルヒドロキシアニソール、２，６−ジ−ｔ−ブチル−ｐ−クレゾール、２，６−ジ−ｔ−ブチル−４−エチルフェノール、２，６−ジ−ｔ−ブチル−４−ヒドロキシメチルフェノール、トリエチレングリコール−ビス［３−（３−ｔ−ブチル−５−メチル−４−ヒドロキシフェニル）プロピオネート、１，６−ヘキサンジオール−ビス［３−（３，５−ジ−ｔ−ブチル−４−ヒドロキシフェニル）プロピオネート］、オクタデシル−３−（３，５−ジ−ｔ−ブチル−４−ヒドロキシフェニル）プロピオネート等が挙げられる。
【００６１】
アミン系酸化防止剤としては、特に限定されないが、例えば、ジフェニル−ｐ−フェニレン−ジアミン、４−アミノ−ｐ−ジフェニルアミン、ｐ、ｐ’−ジオクチルジフェニルアミン等が挙げられる。
【００６２】
リン系酸化防止剤としては、特に限定されないが、例えば、フェニルイソデシルホスファイト、ジフェニルジイソオクチルホスファイト、ジフェニルジイソデシルホスファイト、トリフェニルホスファイト、トリスノニルフェニルホスファイト、ビス（２，４−ジ−ｔブチルフェニル）ペンタエリストールジホスファイト等が挙げられる。
【００６３】
イオウ系酸化防止剤としては、特に限定されないが、例えば、ジラウリル−３、３’−チオジプロピオン酸エステル、ジトリデシル−３、３’−チオジプロピオン酸エステル、ジミリスチル−３、３’−チオジプロピオン酸エステル、ジステアリル−３、３’−チオジプロピオン酸エステル等が挙げられる。
【００６４】
紫外線吸収剤としては、特に限定されないが、例えば、４−ヒドロキシベンゾフェノン、２−ヒドロキシ−４−メトキシベンゾフェノン、２，２’−ジヒドロキシ−４−メトキシベンゾフェノン、２−ヒドロキシ−４−メトキシ−４’−クロロベンゾフェノン、２、２’−ヒドロキシ−４−ｎ−オクトキシベンゾフェノン、２−ヒドロキシ−４−ｎ−オクトキシベンゾフェノン、２，４−ジヒドロキシベンゾフェノン、５−クロロ−２−ヒドロキシベンゾフェノン、２，２’−ジヒドロキシ−４，４’−ジメトキシベンゾフェノン、４−ドデシル−２−ヒドロキシベンゾフェノン等のベンゾフェノン類；フェニルサリシレート、４−ｔ−ブチルフェニルサリシレート、４−オクチルフェニルサリシレート、ビスフェノールＡ−ジ−サリシレート等のフェニルサリシレート類；及び２−（５−メチル−２−ヒドロキシフェニル）ベンゾトリアゾール、２−［２−ヒドロキシ−３，５−ビス（α、α’−ジジメチルベンジル）フェニル］−２Ｈ−ベンゾトリアゾール、２−（３，５−ジ−ｔ−ブチル−２−ヒドロキシフェニル）ベンゾトリアゾール、２−（３−ｔ−ブチル−５−メチル−２−ヒドロキシフェニル）−５−クロロベンゾトリアゾール、２−（３，５−ジ−ｔ−アミル−２−ヒドロキシフェニル）ベンゾトリアゾール、２−（２’−ヒドロキシ−４’−ｔ−オクチルフェニル）ベンゾトリアゾール、２−（２’−ヒドロキシ−５’−メチルフェニル）ベンゾトリアゾール、２−（２’−ヒドロキシ−５’−ｔ−オクチルフェニル）ベンゾトリアゾール等のベンゾトリアゾール類等が挙げられる。
【００６５】
消泡剤としては、特に限定されないが、例えば、シリコーン、高級アルコール、高級脂肪酸及びその塩、プルロニック型コポリマー、テトラニック型コポリマー、ポリエチレングリコール、ポリプロピレングリコール等が挙げられる。
【００６６】
〔用途〕
本実施形態に係るｗ／ｏ型マイクロエマルジョン組成物は、自動車、機械、精密機器、電気電子機器等の各種工業分野における金属加工部品、樹脂成形部品、ガラス成形部品、電気基板、セラミック加工部品等の洗浄剤として好適に用いることができる。
【実施例】
【００６７】
以下、実施例及び比較例を挙げて、本発明を詳細に説明するが、本発明はこれらに限定されない。
【００６８】
［ｗ／ｏ型マイクロエマルジョンの確認］
２５℃における組成物の外観状態と、レーザー光（波長５３２ｎｍ）を照射した時、チンダル現象（液中に光の筋が見える現象）の有無を確認し、下記評価基準によりｗ／ｏ型マイクロエマルジョンが形成されているか評価した。
（評価基準）
○：外観が均一透明かつチンダル現象がある。ｗ／ｏ型マイクロエマルジョンである。
×：外観が白濁、懸濁、もしくは外観が均一透明で、かつチンダル現象がない。ｗ／ｏ型マイクロエマルジョンではない。
上記○の評価の組成物については、動的光散乱法（Ｍａｌｖｅｒｎ社製マスターサイザー３０００）を用いて平均粒子径を測定し、平均粒子径が10〜100nmの範囲であることを確認した。
【００６９】
［引火性（非危険物性）］
組成物の引火点をクリーブランド開放式（ＪＩＳ規格  Ｋ−２２６５）にて測定し、引火点の有無を確認した。引火点の有るものを引火性あり、引火点のないものを引火性なしとした。
（評価基準）
○：引火点なし
×：引火点あり
【００７０】
［洗浄性１（残渣性）］
組成物を２００ｍＬ、ステンレス容器に量りとり、これに縦６．２ｃｍ×横４．５ｃｍのステンレス製３０メッシュの金網（表面積５５．８ｃｍ2）を１分間浸漬した。次に、金網を引きあげて、１分３０秒間液を自然落下させ、下端に残った液をペーパーで吸い取り、その後、エアー圧力２Ｋｇ／ｃｍ2で、上下１０往復を両面エアブローで液切りをした。次に、金網を真空乾燥機で０ｋＰａ、１１０℃、１時間で減圧乾燥し、乾燥後の金網をテトラクロロエチレンで抽出し、抽出液中のＣＨ基の赤外吸収を測定し、界面活性剤の残渣量を定量した。得られた界面活性剤の残渣量に基づいて、下記評価基準により残渣性を評価した。
（評価基準）
◎：残渣量１０μｇ／ｃｍ2以下
○：残渣量１０μｇ／ｃｍ2より多く６０μｇ／ｃｍ2以下
△：残渣量６０μｇ／ｃｍ2より多く９９μｇ／ｃｍ2以下
×：残渣量９９μｇ／ｃｍ2μｇ／ｃｍ2より多い
【００７１】
［洗浄性２（油溶解性）］
２５℃において組成物１０ｇに汎用プレス油（ユシロンフォーマーＦＭ２２０）を０．１ｇずつ添加していき、組成物が懸濁する直前の均一状態を維持できる油の飽和溶解濃度を確認した。得られた飽和溶解濃度に基づいて、下記評価基準により油溶解性を評価した。
（評価基準）
◎：油２０質量％以上溶解
○：油１０質量％以上、２０質量％未満溶解
△：油５質量％以上、１０質量％未満溶解
×：油５質量％未満溶解
【００７２】
［安定性１（高温安定性）］
試験管に入れた組成物１０ｍＬを９０℃に設定したウォーターバスに５分間放置し、組成物の高温安定性を下記のように評価した。
（評価基準）
◎：均一透明状態
○：半透明状態
△：懸濁状態
×：二相分離状態
【００７３】
［安定性２（油溶解状態における組成物安定性）］
組成物１０ｍＬに汎用切削油（ユニカットテラミＡＭ３０）を２０質量％となるように添加して２５℃２４時間放置した。２５℃２４時間後の組成物の状態に基づいて、下記評価基準により油溶解状態における組成物安定性を評価した。
（評価基準）
◎：均一透明状態
○：半透明状態
△：懸濁状態
×：二相分離状態
【００７４】
［安定性３（組成物の液面状態）］
組成物１０ｍＬを金属シャーレにとり、シャーレに蓋をしない場合（開放系）と、蓋をした場合（密閉系）で、それぞれ２５℃で３０分放置した。３０分後の液面の状態に基づいて、下記評価基準により組成物の液面状態を評価した。
（評価基準）
◎：開放系、密閉系で気液界面に薄膜なし
○：開放系で薄膜あり、密閉系で薄膜なし
△：開放系で薄膜なし、密閉系で薄膜あり
×：開放系、密閉系で薄膜あり
【００７５】
〔実施例１〜１１、比較例１〜９〕
表１に示す各組成で各成分を混合し、実施例１〜１１、比較例１〜９の組成物を調製した。各組成物の評価結果は表１に示した。
【００７６】
【表１】
2015054933.tif 000002
【産業上の利用可能性】
【００７７】
本実施形態に係るｗ／ｏ型マイクロエマルジョン組成物は、自動車、機械、精密機器、電気電子機器等の各種工業分野における金属加工部品、樹脂成形部品、ガラス成形部品、電気基板、セラミック加工部品等の洗浄剤として産業上の利用可能性を有する。